(57)【特許請求の範囲】
【請求項１】
内周面に虫取り用粘着剤が塗布された円形の断面を有する、同じ大きさ及び同じ形状の少なくとも３以上の筒状体からなり、
前記筒状体は、その外周面において他の筒状体と同じ方向に直接に接続されており、そして前記筒状体は、前記筒状体の筒長より長く且つ前記筒状体の外側から各筒状体を束ねるように固定する結束用筒状体によって支持されており、そして前記筒状体の円形断面の内径は１６ｍｍ〜２４ｍｍの範囲内にあり、且つ前記筒状体の長さは３０ｍｍ〜５０ｍｍの範囲内にあることを特徴とする粘着式虫取り器。
【請求項２】
前記筒状体の円形断面の内径は、１８ｍｍ〜２２ｍｍの範囲内にあることを特徴とする請求項１に記載の粘着式虫取り器。
【請求項３】
前記筒状体の開口面は、他の筒状体の開口面と同一高さに揃えられていることを特徴とする請求項１又は２に記載の粘着式虫取り器。
【請求項４】
前記筒状体は、紙製、プラスチック製又は金属製のシート材料から構成されていることを特徴とする請求項１又は２に記載の粘着式虫取り器。
【請求項５】
前記筒状体の内周面の一部には、虫を誘引するための誘引剤がさらに塗布されていることを特徴とする請求項１又は２に記載の粘着式虫取り器。
【発明の詳細な説明】
【技術分野】
【０００１】
本発明は、粘着式虫取り器に関し、特にキッチンや植木鉢等に発生するコバエ、チョウバエ、ショウジョウバエ等の飛翔する小型のハエ類を捕獲するのに適した虫取り器に関するものである。
【背景技術】
【０００２】
キッチンや植木鉢等では小型のハエ類が発生し易いことから、家庭内では、殺虫剤を使用してハエ類を捕獲して駆除することが広く行われている。しかしながら、近年では、健康や環境等の観点から殺虫剤の使用が敬遠され、粘着式の虫取り器の使用へ置き換わる傾向にある。
【０００３】
粘着式の虫取り器には、大別して、両面に粘着剤を塗布した帯状のシートからなる、いわゆるハエ取り紙と呼ばれるタイプのものと、箱状に組み立てられた容器の中へ虫を誘引し、該容器の内周面に塗布した粘着剤により虫を捕獲するボックスタイプのものとがある。
【０００４】
前者のタイプは、粘着面が露出しているので捕獲したハエなどが外部から見えてしまい、見栄えが悪い上に衛生上も問題がある。さらに、粘着面が露出したシートは、通常、天井などから吊下げて使用し周囲のものに付着し易いので、人の通行を妨げたり、或いは天井などへの取付け場所が制限されるなどの不都合を生じる。
【０００５】
一方、後者のタイプは、容器の内周面に粘着剤や虫誘引剤を塗布したものであるので、捕獲したハエなどを外部から見え難くするのに有効である。例えば、このようなボックスタイプの虫取り器としては、特開２００４−１１３０８１号公報（特許文献１）及び特開２００９−６５９１９号公報（特許文献２）に記載されているような、捕虫用ケースの中に虫を捕獲するための粘着シートを側壁と離間させた状態で吊下げて固定したタイプの虫取り器が知られている。しかしながら、このようなボックスタイプの虫取り器は、捕獲したハエなどを隠すために一般に虫の侵入経路が狭められており、捕獲効率は不十分である。そのため、衛生的で且つ小型のハエ類を物理的に効率良く捕獲するのに適したボックスタイプの虫取り器の開発が望まれている。
【０００６】
衛生的で且つハエ類の捕獲効率をさらに改良したボックスタイプの虫取り器としては、特開２００６−３１１８０２号公報（特許文献３）に記載されているように、断面が円または多角形の筒状体であって、該筒状体の内面の周方向には帯状に施された虫取り用粘着剤の領域と虫誘引剤の領域とが互いに隣接して配設されているタイプの虫取り器が知られている。このタイプの虫取り器は、虫取り用粘着剤と虫誘引剤とを筒状体の内面の周方向に隣接して帯状に施すことにより、虫誘引剤に誘引されて筒状体の中に侵入してきたハエ類が虫誘引剤の手前の内面に止まった時、手前の内面の周方向に帯状に虫取り用粘着剤が施されているので、上下左右どこに止まってもハエ類を付着させて捕獲できるようにしたものである。
【０００７】
しかしながら、実際のハエ類の誘引作用は、虫誘引物質の種類やその配置またはその有無などのみならず、それら虫誘引剤や粘着剤を固定し且つ外部への露出を防ぐために機能するボックス形状によっても大きな影響を受ける。ところが、特許文献２に記載された虫取り器は、組立前は嵩張らず、組立が容易であるなど筒状体の取扱いについて形状上の工夫が凝らされているものの、ハエ類などの虫の習性を考慮した形状及び大きさとなっていないため、特にコバエなどの小型のハエ類を効率よく捕獲するのが困難であるという問題があった。
【０００８】
さらに、衛生的で且つハエ類の捕獲効率を改良した他のボックスタイプの虫取り器としては、特開２００７−１６７００９号公報（特許文献４）に記載されているような、害虫のみを内部に侵入させて益虫を侵入させない複数の選択的害虫侵入用開口部が配設された箱体又は筒体であって、該箱体又は筒体の内部には侵入した害虫を捕捉するための粘着シートが備え付けられているタイプの虫取り器が知られている。このタイプの虫取り器は、虫を捕獲するための粘着シートを箱体又は筒体の中央に配置し、該箱体又は筒体を、害虫のみを内部に侵入させて益虫を侵入させない網目を有する防虫ネットで包むことにより、誘引剤に誘引されて集まった虫のうち害虫のみを選択的に捕獲するタイプの虫取り器である。
【０００９】
しかしながら、特許文献３に記載された虫取り器も、使い勝手が良く組立が容易であるなど箱体又は筒体の取扱いについて形状上の工夫が凝らされているのみであって、ハエ類などの虫の習性を考慮した形状及び大きさとなっていないため、やはり小型のハエ類を効率よく捕獲するのが困難であるという問題があった。
【先行技術文献】
【特許文献】
【００１０】
【特許文献１】特開２００４−１１３０８１号公報
【特許文献２】特開２００９−６５９１９号公報
【特許文献３】特開２００６−３１１８０２号公報
【特許文献４】特開２００７−１６７００９号公報
【発明の概要】
【発明が解決しようとする課題】
【００１１】
本発明は、上述された課題を解決するために、構造が簡単で安価であり、特にコバエなどの小型のハエ類を物理的に効率良く捕獲するのに適した新規且つ有用な虫取り器を提供することを目的とする。
【課題を解決するための手段】
【００１２】
本発明の発明者は、構造が簡単であり、コバエなどの小型のハエ類を物理的に効率良く捕獲するのに適した虫取り器の形状及び大きさについて鋭意検討を重ねた結果、小型のハエ類は、虫取り器として、内面に虫取り用の粘着剤を施した筒状体であって、適当な大きさの円形断面と適当な筒長を有する筒状体を使用した場合、他の形状または大きさの筒状体を使用した場合に比べて、より多数のハエ類を効率よく捕獲できることを見出した。その詳細は明らかではないが、小型のハエ類には、飛翔するのを好み、誘引され易い適当な大きさや形状の空間が存在するようであり、そのような空間を有する虫取り器の場合、小型のハエ類が虫取り器の中へ積極的に飛翔してきて大量且つ効率よく捕獲できることが分かった。
【００１３】
具体的には、本発明の粘着式虫取り器は、内周面に虫取り用粘着剤が塗布された円形の断面を有する、同じ大きさ及び同じ形状の少なくとも３以上の筒状体からなり、前記筒状体は、その外周面において他の筒状体と同じ方向に接続されており、前記筒状体の円形断面の内径は、１６ｍｍ〜２４ｍｍの範囲内にあることを特徴とするものである。
【００１４】
本発明のように、内周面に虫取り用粘着剤が塗布されたボックスタイプの虫取り器の場合、効率の良いハエ類の捕獲を達成するためには、筒状体の断面形状は多角形であるより円形である方が有利である。これは、筒状体の断面が多角形である場合、その角部近傍の内側領域には、他の領域に比べて飛翔してくるハエ類の数が少なくなるため、実質的にハエ類を有効に捕獲することができない無用な虫取り用粘着領域および空間が形成されてしまうのに対し、筒状体の断面が円形である場合は、その内側領域全体にわたってハエ類を万遍なく飛翔させることができるため、筒状体の内面を、すべて有効な虫取り用粘着面として利用することが可能となるからである。
【００１５】
また、虫取り器の基本形態が円形の断面を有する筒状体から構成されている場合、その筒状体は、同じ大きさ及び同じ形状からなる少なくとも３以上の筒状体をその外周面において他の筒状体と同じ方向に整列するように接続するのが好ましく、筒状体の円形断面は、好ましくは内径１６ｍｍ〜２４ｍｍの範囲内、より好ましくは内径１８ｍｍ〜２２ｍｍの範囲内にあることが望ましい。
【００１６】
本発明の虫取り器において、３以上の筒状体同士を接続する必要があるのは、虫取り器を１つの大きな円形断面を有する筒状体から構成するよりも、より小さな円形断面を有する３以上の筒状体を組み合わせて構成する方がハエ類の筒状体への侵入確率を高めることができ、その結果、単位面積当たりのハエ類の捕獲数を増大させることができるからである。
【００１７】
また、筒状体を同じ大きさ及び同じ形状から構成することにより、各筒状体同士の整列配置が容易となる。例えば、各筒状体の出入り口を面一となるように配置することにより、筒状体の開口面を他の筒状体の開口面と同一高さに揃えることができるようになる。この結果、かかる構成もハエ類の筒状体への侵入確率を高めることに寄与するとともに虫取り器の小型化にも寄与する。
【００１８】
ハエ類を効率良く捕獲するのに適した筒状体の大きさを、ハエ類の捕獲数および単位面積当たりのハエ類の捕獲数に基づいて定めると、筒状体の円形断面の内径は、好ましくは１６ｍｍ〜２４ｍｍの範囲内、より好ましくは１８ｍｍ〜２２ｍｍの範囲内にあることが望ましく、筒状体の長さは３０ｍｍ〜５０ｍｍの範囲内にあることが望ましい。
【００１９】
本発明による虫取り器の筒状体は、紙製、プラスチック製又は金属製などの一般的なシート材料から構成することができるので、組立前に嵩張らず、組立時の成形が容易であり、そして極めて安価に製作することができる。
【００２０】
また、本発明による虫取り器は、各筒状体をそれらの外側から束ねるように固定する結束用筒状体を用いて支持することもできる。この場合、結束用筒状体のみを支持すれば、その内部に固定された各筒状体も一体となって支持することができるので、例えばゴミ箱の中のような狭小スペースであっても、虫取り器を懸架して簡単に設置することができる。
【００２１】
また、本発明による虫取り器では、筒状体の内周面の一部へ虫を誘引するための誘引剤を塗布することにより、ハエ類を積極的に筒状体の中に誘引することもできる。この場合、虫誘引剤は虫取り用粘着剤と隣接した領域に帯状、矩形状、斑点状などに塗布してもよく、或いは一部虫取り用粘着剤と混ぜて使用してもよい。
【発明の効果】
【００２２】
本発明によれば、構造が簡単で安価であり且つ衛生的であり、そして特にコバエなどの小型のハエ類を物理的に効率良く捕獲するのに適した新規且つ有用な虫取り器を提供することができる。
【図面の簡単な説明】
【００２３】
【図１】本発明の一実施形態に係る粘着式虫取り器の斜視図である。
【図２】図１に示される実施例を基本形態としたテスト用虫取り器の平面図である。
【図３】図１に示される実施例を基本形態としたテスト用虫取り器の側面図である。
【発明を実施するための形態】
【００２４】
以下、本発明の一実施形態に係る粘着式虫取り器について、図面を参照しながら詳細に説明する。なお、本発明は、以下に示される実施例に限定されるものではなく、本発明の技術的思想を逸脱しない範囲内で各種の変更が可能である。
【００２５】
本発明の実施の形態に係る粘着式虫取り器１を図面に従って説明する。この虫取り器１は、図１に示すように断面が円形の３つの筒状体２，３，４と、それら３つの筒状体を束ねるように固定する結束用筒状体５とから構成されている。筒状体２，３，４および結束用筒状体５は、いずれも紙製のシート材料からできており、筒状体２，３，４の内周面には虫誘引剤を含む粘着剤７が全面に塗布されている。
【００２６】
本実施例の粘着式虫取り器１は、筒状体２，３，４の形状が円筒形であるので、その内側領域全体にわたってハエ類を万遍なく誘引することができ、筒状体の内周面をすべて有効な虫取り用粘着面として利用することができる。
【００２７】
粘着剤と虫誘引剤は本実施例の虫取り器１のように混ぜて使用してもよく、或いは分離して使用してもよい。分離して使用する場合、虫誘引剤を粘着剤と隣接した領域に帯状、矩形状、斑点状などに塗布することにより使用することができる。
【００２８】
虫取り用粘着剤の成分は、慣用されているハエ取り紙や粘着式ゴキブリ取り器で使用されるものであればよく、さらに、ピレスロイド、有機リンなどの殺虫成分を含有させたり、粘着作用を長期間維持させるために、安定剤等を含有させてもよい。一方、虫誘引剤の成分は、慣用されているハエ類用誘引剤のものであればよく、誘引フェロモン、揮発性誘引剤、食餌誘引剤など各種のものを使用することができる。
【００２９】
本実施例の虫取り器１では、各筒状体２，３，４は、それぞれ外周面において他の筒状体と同じ方向に整列するように接続されており、且つ各筒状体の出入り口２０，３０，４０又は２１，３１，４１が面一となるように配置されている。このため、本実施例の虫取り器１では、筒状体２，３，４においてハエ類の習性に合わせたハエ類が好む環境が形成されており、ハエ類の筒状体への侵入確率が高められている。
【００３０】
また、本実施例の虫取り器１では、各筒状体２，３，４を束ねるように支持するための結束用筒状体５を使用しているので、これに糸、針金などの懸架手段６を取り付ければ、ゴミ箱の中のような狭小スペースであっても、虫取り器１を懸架して簡単に設置することができる。
【００３１】
結束用筒状体５の筒長は、筒状体２，３，４の筒長より長く作られている。したがって、結束用筒状体５により束ねられた筒状体２，３，４は、結束用筒状体５の開口面５０，５１から奥まった位置に配置されており、筒状体の出入り口２０，３０，４０又は２１，３１，４１は結束用筒状体５の開口面５０又は５１と面一ではない。このため、本実施例の粘着式虫取り器１では、結束用筒状体５の上部内周面及び下部内周面に筒状体２，３，４と干渉しない自由領域（非粘着領域）が形成されており、虫取り器１を組立てたり取付けたりする際、粘着剤７に接触することなく虫取り器を取り扱うことができる。
【００３２】
[ハエ類捕獲テスト]
（１）粘着式虫取り器の形状
本発明による粘着式虫取り器において、コバエなどの小型のハエ類を物理的に効率良く捕獲するのに適した虫取り器の形状について検討するため、上述した本発明の一実施形態に係る粘着式虫取り器１を基本形として、内周面に虫取り用接着剤が塗布された筒状体２，３，４の内径ｄが１０，１５，２０，２５，３０（ｍｍ）であって、且つそれらを束ねる結束用筒状体５の内径も前記筒状体の内径に応じて変更した計５タイプの虫取り器を準備した（図２参照）。そして、同一環境下において、それら５タイプの虫取り器により実際に捕獲されるハエ類の捕獲数及び単位面積当たり捕獲数がどのように変化するかを調査した（下記「表１」参照）。
【００３３】
ただし、事前のテストにより、筒状体２，３，４の筒長ｌ０が５０ｍｍを超える場合若しくは３０ｍｍ未満である場合は、捕獲されるハエ類の捕獲数及び単位面積当たり捕獲数が大幅に減少する傾向にあるので、筒状体の筒長ｌ０は４０ｍｍ一定とし、そしてそれらを結束する結束用筒状体５の筒長Ｌも、前記筒状体の上部及び下部スペースにそれぞれ幅ｌ１，ｌ２が２０ｍｍの非粘着領域が形成されるように８０ｍｍ一定とした（図３参照）。
【００３４】
（２）ハエ類捕獲テストの環境
ハエ類捕獲テストは、２０１０年８月、上述した５タイプの粘着式虫取り器をキッチン内のゴミ箱周辺の任意の箇所に設置し、１ヶ月経過後に、それぞれの虫取り器に捕獲されたハエ類の個体数を計測することにより実施した。その結果は、下記「表１」に示す通りである。
【００３５】
【表１】
0005570354.tif 000002
注１）捕獲数の判定１は、３０（匹）以上を「○」、３０（匹）未満を「×」として評価した。
注２）単位面積当たりの捕獲数の判定２は、１．５×１０-２（匹/ｍｍ２）以上を「○」、１．５×１０-２（匹/ｍｍ２）未満を「×」として評価した。
【００３６】
（３）ハエ類捕獲テストの結果（「表１」参照）
内径ｄが１０，１５，２０，２５，３０（ｍｍ）の筒状体を備えた粘着式虫取り器において、３つの筒状体に捕獲されたハエ類の個体数が最も多かったのは、内径ｄが２０（ｍｍ）の筒状体を備えた虫取り器であり、ハエ類の捕獲数が３０匹を超えたのは、内径ｄが２０，２５，３０（ｍｍ）の筒状体を備えた虫取り器であった。また、５タイプの粘着式虫取り器のうち、単位面積当たりのハエ類の捕獲数が最も多かったのは、内径ｄが２０（ｍｍ）の筒状体を備えた虫取り器であり、単位面積当たりのハエ類の捕獲数が１．５×１０-２（匹/ｍｍ２）を超えたのは、内径ｄが１０，２０（ｍｍ）の筒状体を備えた虫取り器であった。
【００３７】
（４）考察
上記ハエ類捕獲テストの結果により、ハエ類の捕獲数および単位面積当たりのハエ類の捕獲数に基づいて、ハエ類を効率良く捕獲するのに適した筒状体の大きさについて考察すると、筒状体の円形断面の内径は、好ましくは１６ｍｍ〜２４ｍｍの範囲内、より好ましくは１８ｍｍ〜２２ｍｍの範囲内にあることが望ましく、筒状体の長さは３０ｍｍ〜５０ｍｍの範囲内にあることが望ましいことが判った。
【００３８】
その結果、本発明によれば、構造が簡単で安価であり且つ衛生的であり、そして特にコバエなどの小型のハエ類を物理的に効率良く捕獲するのに適した新規且つ有用な虫取り器を提供することができる。
【符号の説明】
【００３９】
１・・・粘着式虫取り器 
２，３，４・・・筒状体
５・・・結束用筒状体
６・・・懸架手段
７・・・粘着剤
２０，２１，３０，３１，４０，４１・・・出入り口
５０，５１・・・開口面
【図１】
0005570354.tif 000003
【図２】
0005570354.tif 000004
【図３】
0005570354.tif 000005